(57)【要約】【課題】  風からのエネルギー収量を改善すること。【解決手段】  風力発電装置の１つまたは複数のピッチ駆動部を制御するために設けられた電気モジュールを前記風力発電装置のロータハブに固定し、かつ前記電気モジュールを支持するための本体を備えるモジュール支持体であって、前記ロータハブは、実質的に水平のロータ軸を中心に回転するように構成されており、前記本体は、前記ロータ軸の軸方向で前記ロータハブの前方に固定されるよう構成されている、モジュール支持体。【選択図】  図２
2013545017.tif 000002
【特許請求の範囲】
【請求項１】
風力発電装置の１つまたは複数のピッチ駆動部を制御するために設けられた電気モジュールを前記風力発電装置のロータハブに固定し、かつ前記電気モジュールを支持するための本体を備えるモジュール支持体であって、
前記ロータハブは、実質的に水平のロータ軸を中心に回転するように構成されており、
前記本体は、前記ロータ軸の軸方向で前記ロータハブの前方に固定されるよう構成されている、モジュール支持体。
【請求項２】
前記支持体は、実質的にリングディスクとして構成されており、および／または前記ロータ軸に対して直角に配置されている、ことを特徴とする請求項１に記載のモジュール支持体。
【請求項３】
前記支持体は、スピナ外装に適合した外周を有し、および／または前記スピナ外装とエラスティックに接続するための固定手段を有する、ことを特徴とする請求項１または２に記載のモジュール支持体。
【請求項４】
前記風力発電装置は１つまたは複数のロータブレードを有し、
前記電気モジュールは以下のエレメントの少なくとも１つを含む：
・前記ピッチ駆動部に電気エネルギーを供給するトランスモジュール；
・デジタル情報を各ピッチ駆動部に直接または間接的に分配する分配モジュール；
・各ロータブレードに対してそれぞれのピッチ駆動部を制御するブレード制御モジュール；
・各ロータブレードに対してそれぞれのピッチ駆動部のための電気切り替えを実施するブレードリレーモジュール；および／または
・各ロータブレードに対してそれぞれのピッチ駆動部のために、とりわけ非常遮断のために電気エネルギーを蓄積し、提供する蓄電器モジュール、とりわけコンデンサモジュール；
請求項１から３までのいずれか一項に記載のモジュール支持体。
【請求項５】
前記モジュール支持体は、保持装置によってロータハブの風を受ける側に剛性に配置されており、および／または
前記モジュール支持体の本体は、前記回転軸に対して実質的に直角に配置されており、および／または
前記モジュール支持体は、スピナ外装とエラスティックに接続されている、請求項１から４までのいずれか一項に記載のモジュール支持体を有する風力発電装置のロータハブ。
【請求項６】
風力発電装置の空気力学的ロータと接続された発電機をタワーに支持するための、ギヤレス型風力発電装置の機械支持体であって、
前記空気力学的ロータは、実質的に水平のロータ軸を有し、
前記タワーは実質的に垂直のタワー軸を有し、
前記機械支持体は、第１と第２の略筒状部分を有し、
前記２つの部分は実質的に互いに直角に配置されており、
第１の略筒状部分は、第２の略筒状部分を少なくとも部分的に貫通し、および／または第２の略筒状部分は第１の略筒状部分を少なくとも部分的に貫通する、機械支持体。
【請求項７】
前記第１の筒状部分は、前記垂直のタワー軸と一致する中央軸を有し、
前記第２の筒状部分は、前記ロータ軸と一致する中央軸を有し、
前記第１の筒状部分は、前記第２の筒状部分よりも大きな平均直径を有し、
前記第１および／または第２の筒状部分は円錐形に構成されている、請求項６に記載の機械支持体。
【請求項８】
ヒトがタワー内部から前記第１の略筒状部分を通って前記第２の筒状部分の外側を通過し、前記風力発電装置のナセルに達するように側方の貫通開口部が設けられている、請求項６または７に記載の機械支持体。
【請求項９】
前記機械支持体は鋳造部材として構成されており、および／または複数のアジマス駆動部、とりわけ４から２０、好ましくは１２のアジマス駆動部のための格納部を有する、請求項６から８までのいずれか一項に記載の機械支持体。
【請求項１０】
ステータと電気的ロータないしは回転子とを有するギヤレス型風力発電装置の発電機を支持する発電機支持構造物であって、
とりわけ請求項６から９までのいずれか一項に記載の機械支持体と、
ステータ支持体を前記機械支持体に固定し、支持するための取り付けアタッチメント（短筒部）と、
前記ステータを前記取り付けアタッチメントに固定し、支持するためのステータ支持体、とりわけ釣り鐘形ステータと、および／または
電気的ロータないしは回転子および／または空気力学的ロータを有するロータハブを前記取り付けアタッチメントに固定し、支持するための軸ジャーナルと、
を有する発電機支持構造物。
【請求項１１】
前記取り付けアタッチメントおよび／または軸ジャーナルは、冷却空気を前記ロータハブに案内するために中空に構成されており、および／または
前記取り付けアタッチメントおよび／または軸ジャーナルは、当該取り付けアタッチメントおよび／または軸ジャーナルを通る空気流を形成するために送風機を有する、請求項１０に記載の発電機支持構造物。
【請求項１２】
ステータ支持体を機械支持体に固定し、格納し、支持し、および軸ジャーナルを格納し、支持するための、ギヤレス型風力発電装置の取り付けアタッチメント。
【請求項１３】
ナセル外装の少なくとも一部を支持し、技術的装置をナセル内に支持し、および／またはヒトをナセル内に支持する、風力発電装置のナセルのナセル構造体であって、
機械支持体にリジッドに固定されたベースプラットフォーム部分と、前記機械支持体および／または前記ベースプラットフォーム部分に懸架して固定された吊りプラットフォーム部分と、を有するナセル構造体。
【請求項１４】
請求項１３に記載のナセル構造体であって、
前記ベースプラットフォーム部分上に支持構造物が配置されかつ固定されており、 
前記支持構造物は突き出た支持体部分を有し、当該支持体部分は、荷物を持ち上げるためのクレーン装置および／または前記吊りプラットフォーム部分に接続されており、かつ前記支持体部分で前記吊りプラットフォーム部分を部分的に保持、とりわけ部分的に懸架するための引張支持体（Zugtraeger）を備え、
前記支持構造物は、上側プラットフォームを、とりわけ前記機械支持体の上方に支持し、前記上側プラットフォームの下方かつ前記ベースプラットフォーム部分の上方に中間プラットフォームを、とりわけ前記機械支持体に配置されたアジマス駆動部の上方に支持し、
前記中間プラットフォームは、当該中間プラットフォームを通って前記アジマス駆動部にアクセスするために少なくとも１つの可動の床プレートを有し、および／または
前記機械支持体および／または前記支持構造物に、ナセル外装またはその一部を支持および／または補強するためのフレームリングが固定されている、ナセル構造体。
【請求項１５】
風力発電装置の運転に必要な技術的装置を格納するための風力発電装置、とりわけギヤレス型風力発電装置のナセルであって、
前記技術的装置を天候から保護するためのナセル外装と、
前記ナセル外装内にあって、外気を導入し、前記ナセルに通気し、および／または前記風力発電装置またはその一部を冷却するための通気開口部と、
を有し、
前記通気開口部は、流入する空気の湿気を除去するために水滴分離器を有する、ナセル。
【請求項１６】
請求項１３または１４に記載のナセル構造体と、
前記ナセル外装またはその一部を支持および／または補強するためのフレームリングと、
請求項１から４までのいずれか一項に記載のモジュール支持体と、
請求項５に記載のロータハブと、
請求項６から９までのいずれか一項に記載の機械支持体と、
請求項１０または１１に記載の発電機支持構造物と、および／または
請求項１２に記載の取り付けアタッチメントと、
を有する請求項１５に記載のナセル。
【請求項１７】
請求項１５または１６に記載のナセルと、
請求項１３または１４に記載のナセル構造体と、
前記ナセル外装またはその一部を支持および／または補強するためのフレームリングと、
請求項１から４までのいずれか一項に記載のモジュール支持体と、
請求項５に記載のロータハブと、
請求項６から９までのいずれか一項に記載の機械支持体と、
請求項１０または１１に記載の発電機構造体と、および／または
請求項１２に記載の取り付けアタッチメントと、
を有し、および／または
前記ナセル外装とタワーとの移行領域に外気の空気浸入に対する密閉部が設けられており、および／またはタワーは内部でタワー内部からの空気の空気浸入に対して密閉されている、風力発電装置、とりわけギヤレス型風力発電装置。
【請求項１８】
風力発電装置の１つまたは複数のピッチ駆動部を制御するために設けられた電気モジュールを備えるモジュール支持体、とりわけ請求項１から４までのいずれか一項に記載のモジュール支持体をあらかじめ作製し、モジュールを装着し、前記風力発電装置のロータハブに固定し、これにより前記モジュールを一の作業工程で前記ロータハブに固定する、風力発電装置の設置方法。
【請求項１９】
以下のうちの少なくとも１つを備えるモジュール支持体をあらかじめ作製する、請求項１８に記載の設置方法：
前記ピッチ駆動部に電気エネルギーを供給するトランスモジュール、
デジタル情報を各ピッチ駆動部に直接または間接的に分配する分配モジュール、
各ロータブレードごとにそれぞれのピッチ駆動部を制御するブレード制御モジュール、
各ロータブレードに対してそれぞれのピッチ駆動部に対する電気切り替えを実施するブレードリレーモジュール、および／または
各ロータブレードに対してそれぞれのピッチ駆動部のために、とりわけ非常遮断のために電気エネルギーを蓄積し、供給する蓄電器モジュール、とりわけコンデンサモジュール。
【請求項２０】
請求項１７に記載の風力発電装置が設置される、請求項１８または１９に記載の設置方法。
【請求項２１】
送風機が冷却空気を、ナセルの第１の部分から取り付けアタッチメントおよび／または軸ジャーナルを通してナセルの第２の部分へ、とりわけロータハブおよび／またはロータキャップの領域へ吹き込み、
冷却空気の全体または一部が、ナセル外装にある少なくとも１つの水滴分離器を通って前記ナセルの前記第１の部分に達し、
冷却空気の全体または一部が、スピナ外装とナセル外装との間の移行領域にあるロータハブの領域でナセルから流出する、風力発電装置の運転方法。
【発明の詳細な説明】
【技術分野】
【０００１】
本発明は、風力発電装置（風力エネルギー装置）に関する。さらに本発明は、モジュール支持体、ロータハブ、機械支持体、発電機構造体、取り付けアタッチメント、ナセル構造体、および風力発電装置のナセルに関する。さらに本発明は、風力発電装置の設置方法および風力発電装置の運転方法に関する。
【背景技術】
【０００２】
風力発電装置は一般的に公知であり、実質的にタワーと、ロータブレードを備える空気力学的ロータを有するナセルと、発電機とを有する。図１は、風力発電装置のこのような基本構造を示す。
【先行技術文献】
【特許文献】
【０００３】
【特許文献１】ＷＯ２０１１／０６１０１６Ａ１
【特許文献２】ＤＥ１０２００９００８４３７Ａ１
【特許文献３】ＥＰ１３１９８３０Ａ１
【特許文献４】ＷＯ２００９／１２５１２１Ａ２
【特許文献５】ＥＰ２１９４２６９Ａ１
【特許文献６】ＥＰ１８３７５１９Ａ２
【特許文献７】ＵＳ２０１０／１６４２２８Ａ１
【発明の概要】
【発明が解決しようとする課題】
【０００４】
風力発電装置は、風から電気エネルギーを発生するために使用される。一次エネルギー、すなわち風のための風力発電装置ではコストが発生しないから、電気エネルギーの発電コストは風力発電装置の調達と運転に依存する。風からのエネルギー収量を高めるために、大型の風力発電装置を建築することができる。しかしこのような大型の風力発電装置は通常、大きな調達コストおよび運転コストの増大を引き起こし、これらのコストは通常、風からのエネルギー収量が所期のように高められるにつれ大きくなる。しばしばこのような大型風力発電装置のコストはさらに大きく上昇する。したがって比較的に大型の風力発電装置により設置場所では比較的大きな風からのエネルギー収量が達成されるが、最終的には電気エネルギーのコスト的に有利な発電は達成されない。
【０００５】
本発明の課題は、前記問題に取り組み、とりわけ風からのエネルギー収量を改善することである。少なくとも択一的な解決手段を提案する。
【課題を解決するための手段】
【０００６】
本発明によれば、請求項１のモジュール支持体が提案される。
【発明を実施するための形態】
【０００７】
したがってこのようなモジュール支持体は、電気モジュールを風力発電装置のロータハブに固定するために設けられている。
【０００８】
このような電気モジュールは、風力発電装置の１つまたは複数のピッチ駆動部を制御するために使用される。とりわけ複数のロータブレードを有する風力発電装置では、対応して複数のピッチ駆動部が設けられている。ピッチ駆動部とは、風に対してロータブレードの仰角（Anstellwinkel）を調整する駆動部であり、これはピッチとも称される。少なくとも１つのピッチ駆動部がロータブレードごとに設けられている。したがって３つのロータブレードを有する風力発電装置では、少なくとも３つのピッチ駆動部が設けられている。１つのロータブレードに２つまたはそれ以上のピッチ駆動部を使用する場合、このことは信頼性を高めるため冗長性の理由から提案されるが、対応してより多くのピッチ駆動部を設けることができる。
【０００９】
ピッチ駆動部は相応に制御すべきであり、そのために以下の電気モジュールを設けることができる。
【００１０】
ピッチ駆動部に電気エネルギーを供給するために、すなわち外部の給電網から供給される電気エネルギーを変換するために、とりわけピッチ駆動部の制御に適する電圧に降圧するためにトランスモジュールが設けられる。すべてのピッチ駆動部に対して１つのトランスモジュールを設ければ十分であり、したがって１つのトランスが必要なだけである。もちろん複数のトランスモジュールを設けることもできる。
【００１１】
さらに分配モジュールを設けることができ、この分配モジュールはとりわけデジタル情報を各ピッチ駆動部に分配する。とりわけ中央の制御値または設定値、例えばすべてのロータブレードに適用することのできる調整すべきロータブレード角は中央制御ユニットによって設定することができ、分配モジュールによってピッチ駆動部にさらに送出される。このさらなる送出はピッチ駆動部に対して直接行うこともできるが、ピッチ駆動部にそれぞれ割り当てられた制御ユニットに対して行うこともできる。このような制御ユニットはブレード調整モジュールに格納することができる。したがってこのようなブレード調整モジュールは各ピッチ駆動部に対してそれぞれ設けられるが、少なくとも各ロータブレードに対して設けるべきである。
【００１２】
さらにブレードリレーモジュールを各ロータブレードに対して設けることができる。このようなブレードリレーモジュールは電気的切り替えを行うことができる。この切り替えには、外部の給電網に基づく従来の制御から、非常蓄電器に基づく制御への切り替えも含まれる。ブレードリレーモジュールも通常、各ロータブレードに対してそれぞれ設けられている。
【００１３】
前記非常蓄電ユニットは蓄電器モジュールとして、すなわち電気エネルギーを蓄積するための蓄電器モジュールとして設けることができる。好ましい展開形態ではコンデンサモジュールが使用され、このコンデンサモジュールにピッチモータ、すなわちピッチ駆動部を制御するための電気エネルギーが蓄積される。このような蓄電器、すなわちこのような蓄電器モジュールも好ましくは各ロータブレードに対しても同様に設けられている。
【００１４】
したがって３つのロータブレードを有する１つの風力発電装置に対しては、１つのトランスモジュール、１つの分配モジュール、３つのブレード調整モジュール、３つのブレードリレーモジュール、そして３つの蓄電器モジュールが必要である。したがってピッチ駆動部をすべて制御するのに必要なモジュールとして１１のモジュールが必要となる。ピッチ駆動部は機能的な理由からロータブレードに、すなわち風力発電装置のロータハブに配置されている。ロータハブは必然的に、風力発電装置のその他の部分に対して、とりわけ風力発電装置のナセルのその他の部分に対して相対的に回転する。したがって前記モジュールは回転するロータハブにも設け、固定しなければならない。したがって１１のモジュールを固定するための煩わしさを低減するために、モジュール支持体が提案される。このモジュール支持体、とりわけ本体上には上述のすべてのモジュールが固定され、この本体、すなわちモジュール支持体は、ロータ軸の軸方向でロータハブの前方に固定されるように構成される。本発明は、実質的に水平のロータ軸を有する風力発電装置から出発する。ロータ軸の軸方向でロータハブの前方とは、風力発電装置が所定のように使用される際に風に向かうロータハブの位置を基準にする。
【００１５】
これには、風力発電装置、とりわけそのナセルを実質的に完成して建造することができ、風力発電装置の建造の終了時に全部のモジュールを備えたモジュール支持体を、上に記載したようにロータハブの前方に固定するだけで良いという利点がある。個々のモジュール、上の例では１１のモジュールをモジュール支持体に取り付けることは、製造工場で容易に予め行うことができる。風力発電装置の設置場所では、このあらかじめ完成されたモジュール支持体、すなわちモジュールがすでに装着されたモジュール支持体をロータハブに固定すれば良いだけである。ピッチ駆動部に接続するための端子、および場合によりナセルへの接続は、例えば差込みプラグコネクタにより、および／またはスリップリング装置を介して行うことができる。これにより煩わしさとさらに前記モジュールを配置する際のエラー脆弱性も低減することができる。これにはコストの低減も伴う。風力発電装置の運転時には常時回転するロータハブに複数のモジュールを固定することには、ロータハブが回転するため特別の要求が課せられることに注意すべきである。モジュール支持体にモジュールを工場ホールであらかじめ装着することにより、個々のモジュールの場合による固定問題を低減することができ、それどころか排除することができる。さらにロータハブに常時の回転運動の他に振動が発生することも同様に特別の要求を課し、ロータハブにあるいずれかのエレメントの負荷につながる。
【００１６】
支持本体および結果としてモジュール支持体も、好ましくはリングディスクとして構成されている。このようなリングディスクは基本的に円形に配置されたモジュール全体を格納し、ロータハブに固定することができる。これによりモジュールを回転軸の中心に実質的に対称に配置することができる。このことはスペースを有効に活用し、かつモジュールによる偏心性を回避する。ここでは、前記モジュールを有するそのようなモジュール支持体は、３ＭＷの風力発電装置の場合、例えば１．５ｔの重量を有することがあることに注意すべきである。したがって好ましくは、モジュール支持体およびとりわけ支持本体がロータ軸に対して基本的に直角に配置されているモジュール支持体の構成が提案される。このことはとりわけ、実質的にリングディスクとして構成されたモジュール支持体ないしは支持本体の前記使用に対しても当てはまる。
【００１７】
とりわけこれらのモジュールおよび場合によりロータハブの他のエレメントを保護するために、外装がロータハブに設けられ、この外装は一般的にスピナ外装と称される。したがってこのスピナ外装はとりわけモジュール支持体を直接覆い、これを天候から保護する。このためにモジュール支持体はスピナ外装の輪郭および大きさに適合することができる。例えばスピナ外装への適合は、前記のリングディスク状の構成を使用する場合でも行うことができる。
【００１８】
スピナ外装は、とりわけロータハブの前方領域のために、すなわちモジュール支持体が存在することになる領域のためにスピナキャップを有することができる。このスピナキャップは、風力発電装置の設置の際に、残りのスピナ外装と接続される。搬送のために、このようなスピナキャップとモジュール支持体との間に弾性的（エラスティック）な接続部を設けることができる。モジュール支持体がロータハブに固定されても、スピナキャプを支持体モジュールに固定させることができる。弾性接続体を使用することにより、発生する応力を回避できる。
【００１９】
さらに前記のようなモジュール支持体を有する風力発電装置のロータハブが提案される。このモジュール支持体は、保持装置によってロータハブの風を受ける側にリジッドに配置され、固定される。ここで固定は好ましくは、モジュール支持体がその本体とともに、すなわちモジュール支持体がロータ軸に対して実質的に直角に配置されるように行われる。さらに前記のように弾性的接続体を、モジュール支持体とスピナ外装との間、とりわけスピナキャップとの間に設けることができる。
【００２０】
さらにギヤレス型（getriebelos）風力発電装置の機械支持体が、風力発電装置の空気力学的ロータと接続された発電機を支持するために提案される。ギヤレス型風力発電装置では、発電機が構造技術的寸法のほとんどすべてを占める。このような発電機は、大凡の値を明確化のために述べれば、５ｍの直径、１ｍの奥行き、５０ｔを大きく超える重量を有することがある。このような発電機を最終的には機械支持体により支持しなければならない。さらにこれに空気力学的ロータ、すなわちとりわけロータブレードによる重量と風力負荷が加わる。これらの力はすべて最終的に機械支持体を介して風力発電装置タワー（支柱）に伝達しなければならない。したがって機械支持体は、発電機およびロータからタワーへの伝達エレメントであり、機械支持体はアジマスベアリング上に固定されている。空気力学的ロータおよび電気的ロータも実質的に水平のロータ軸を有するが、これに対してタワーは実質的に垂直のタワー軸を有する。実質的に水平のロータ軸とは、これが垂直にはまたは近似的に垂直には起立していないと理解すべきである。水平のロータ軸は風力発電装置の本形式にも関わるものであり、すなわちこの形式はいわゆる水平軸型風力発電装置である。ロータ軸が軽く傾斜した位置も、実質的に水平ロータ軸に入る。
【００２１】
提案された機械支持体は、それぞれ略筒状の第１と第２の部分を有する。これら２つの筒状部分は部分的に貫通している。とりわけ第１の筒状部分は、これが第２の筒状部分を受け入れるように構成されている。したがって第２の筒状部分は、一部が第１の筒状部分を貫通する。さらに第１の筒状部分の部分は第２の筒状部分の内部にも存在し、したがって第１の筒状部分も第２の筒状部分を貫通する。２つの筒状部分の少なくとも一方が、他方を少なくとも部分的に貫通することになる。
【００２２】
ここで筒状部分とは、円錐形でもありうる筒から打ち抜かれた形状を有するそれぞれの部分であると理解すべきである。少なくとも円形（リング状）の部分が存在する。
【００２３】
好ましくは第１の筒状部分は、垂直（鉛直）のタワー軸に一致する中央軸を有する。このような中央軸は、前記円形リング部分を垂直に通る軸にも相当する。垂直のタワー軸が第１の筒状部分の前記中央軸に絶対的に正確に一致するかどうかは重要ではない。それにもかかわらず好ましい形態では、第１の筒状部分を、同様に筒状のタワーの継続部と実質的に見なすことができる。
【００２４】
同様に好ましくは、第２の筒状部分がロータ軸に一致する中央軸を有することが提案される。発電機および／またはロータハブを支持するために、軸ジャーナルおよび／または取り付けアタッチメントを設けることができ、これら自身もロータ軸、すなわちロータの回転軸に一致する中央軸を有する。この軸ジャーナルおよび／または取り付けアタッチメントは、機械支持体の第２の筒状部分の継続部とすることができる。
【００２５】
提案された機械支持体のこの実施形態について分かりやすく言えば、タワーと軸ジャーナルないしは取り付けアタッチメント（Aufnahmezapfen、短筒部）とが接続される。ここでそれらの軸は好ましくは機械支持体内で一致する。
【００２６】
好ましくは第１の筒状部分は、第２の筒状部分よりも大きな平均直径を有する。この実施形態は、通常の場合、タワーも軸ジャーナルないしは取り付けアタッチメントも軸方向にそれぞれ一定の直径を有していないにもかかわらず、一方でタワー直径と他方で軸ジャーナルまたは取り付けアタッチメントの直径との最大比を反映することができる。それにもかかわらず一実施形態では、機械支持体内にある両方のエレメントの継続部を見ることができる。好ましくは２つの筒状部分の少なくとも一方、とりわけ両方が円錐形に構成されている。これも、一方ではタワーの形状の前記継続部に、他方では軸ジャーナルないしは取り付けアタッチメントの形状の前記継続部に適合する。したがって提案された機械支持体は、発電機およびロータハブとタワーとの間で適切で安定した力伝達を行う。
【００２７】
好ましくは機械支持体は、側方貫通（通り抜け）開口部（Durchgangsoeffnung）が設けられるように構成されている。この側方貫通開口部は、これがヒトに対してタワーの内部からナセルへの経路を形成するように構成されており、この経路は、第１の筒状部分の内部領域を通って延在し、第２の筒状部分の側方を通過する。とりわけ第１の筒状部分の直径が比較的大きく、第２の筒状部分の直径が比較的小さく、第２の筒状部分が第１の筒状部分により基本的に受け入れられている構成では、ヒトが通り抜けるための前記構成に利用することのできるサイズの関係が得られる。
【００２８】
機械支持体が鋳造部材として、すなわちスチール鋳造部材として設けられていると有利である。これにより中実で安定したエレメントが機械支持体として得られる。したがい、第１と第２の２つの筒状部分の前記筒状の構成は、最終的にただ１つの鋳造部材に設けられることを強調する。すなわち見た目では２つの筒状部分の間を少なくとも一部が貫通するが、この貫通は２つの筒状部分が組み立てられていることを意味するものではない。そうではなく前記構成は、風力発電装置の状況を勘案するために、とりわけ負荷伝達を所期のように達成するために意図的に選択されたものである。とりわけ分かりやすく言えば、実質的に水平のロータ軸から実質的に垂直のタワー軸へ負荷が偏向される。
【００２９】
好ましくは機械支持体は、アジマス駆動部を格納するために１つまたは複数の格納部分を有する。具体的な装置に応じて例えば４から２０の、好ましくは１２のアジマス駆動部を設けることができる。したがってこのアジマス駆動部は、このそれぞれの格納部内で機械支持体に直接固定される。したがって機械支持体をタワーに対して相対的に回転することができ、ひいては風力発電装置のナセルを、とりわけそのロータも含めて風に向けて回転することができる。
【００３０】
とりわけ本発明によれば、ギヤレス型風力発電装置の発電機を支持するための発電機支持構造物が提案される。発電機はステータとロータを有する。ロータは電気的ロータと称され、ロータブレードを有する空気力学的ロータとの混同を回避する。この理由から、概念「電気的ロータ」の代わりに概念「回転子」を使用することができる。
【００３１】
発電機支持構造物は、機械支持体、とりわけ前記実施形態の１つの機械支持体を有することができる。さらにステータ支持体を機械支持体に固定し、支持するための取り付けアタッチメントを設けることができる。したがってこの取り付けアタッチメントは機械支持体に固定され、機械支持体にステータ支持体が固定される。ステータ支持体は好ましくは釣り鐘形ステータとして構成することができる。したがってステータ支持体は、その縁部でステータを支持するために略釣り鐘形の形状を有し、中央領域で取り付けアタッチメントに固定するために設けられている。この場合、ステータは通常の使用では取り付けアタッチメントに同心に配置され、したがってロータ軸に同心に配置される。
【００３２】
対応してステータ支持体を発電機支持構造物の一部として設けることもできる。さらに電気的ロータないしは回転子を取り付けアタッチメントに固定し、支持するために軸ジャーナルを設けることができる。同時に軸ジャーナルは、空気力学的ロータを備えるロータハブを支持することができる。ここで軸ジャーナルは取り付けアタッチメントに強固に固定され、電気的ロータと空気力学的ロータの支持は、電気的ロータと空気力学的ロータとを軸ジャーナル上に回転可能に支承するために少なくとも１つ、好ましくは少なくとも２つのベアリングによって行われる。２つのベアリングが使用される場合には、これらのベアリングは好ましくは、軸ジャーナルの軸を基準にして軸ジャーナルの２つの外端部に設けられる。これにより高い傾斜安定性が達成される。
【００３３】
とりわけ発電機支持構造物は、機械支持体、取り付けアタッチメント（ないし短筒部、Aufnahmezapfen）ステータ支持体および軸ジャーナルをセットで含む。ここで取り付けアタッチメントは、機械支持体、ステータ支持体、および軸ジャーナルの間の接続部材である。したがって取り付けアタッチメントは、機械支持体と軸ジャーナルとの間に配置され、ステータ支持体は実質的に取り付けアタッチメントの周囲に配置される。この構成により、取り付けアタッチメントとステータ支持体とを別個のエレメントとして設けることができ、とりわけ別個のエレメントとしてその製造工場から風力発電装置の設置場所に搬送することができる。取り付けアタッチメントもステータ支持体も、それぞれが１０ｔ超、例えば１３ｔまたは１４ｔの重量を有することがあり、これらの重量を別個に搬送することができる。
【００３４】
好ましくは取り付けアタッチメントおよび／または軸ジャーナルは、そこを通して冷却空気を導くために、すなわち軸方向に導くために中空に構成されている。これにより冷却空気をナセルの定置部分からナセルの回転部分へ、すなわちいわゆるスピナへ、つまりロータハブの領域へ導くことができる。このためには、冷却空気を案内するために中空空間が対応して大きく構成されていると有利である。とりわけこの空間は、軸ジャーナルおよび／または取り付けアタッチメントを通して電気線路を敷設するために必要とされるよりも大きく構成される。好ましくは軸ジャーナルないしは取り付けアタッチメントの中空空間の容積は、軸ジャーナルないしは取り付けアタッチメントの壁を形成する材料の体積よりも大きい。好ましくは中空空間の半径は、壁厚よりも大きい。したがってそれぞれの外径は、対応する内径の２倍未満である。好ましくは外径は、内径よりも２０から５０％だけ大きい。
【００３５】
別の実施形態によれば、取り付けアタッチメントないしは軸ジャーナルを通る空気流を形成するために、取り付けアタッチメントおよび／または軸ジャーナル内に送風機を配置することが提案される。このような送風機は、軸方向に空気を取り付けアタッチメントないしは軸ジャーナルに吹き込むことができる。このために軸ジャーナルまたは取り付けアタッチメント内にシールドのための横壁を設けることができ、この横壁内に送風機が配置される。
【００３６】
さらに本発明によれば、上に記載したように取り付けアタッチメントを設けることが提案される。発電機支持構造物および取り付けアタッチメントも、ギヤレス型風力発電装置のために設けられる。ここでは、空気力学的ロータが電気的ロータと、すなわち回転子と直接機械的に、すなわち強固に結合されている構造であると理解すべきである。このような風力発電装置形式は、対応して大型の電気ロータを備える対応して大型の発電機を前提としており、とりわけ極数の多い発電機を前提とする。このために通常、いわゆるリング式発電機が使用され、リング式発電機ではロータとステータの電気力学的コンポーネントが実質的に１つのリング上に配置されている。このような発電機を支持するために発電機支持構造物および対応する取り付けアタッチメントが使用される。
【００３７】
加えて本発明によれば、風力発電装置のナセルのナセル構造体が提案される。このナセル構造体も、とりわけギヤレス型（getriebelos）風力発電装置のために提案される。このようなナセル構造体は、ナセル外装の少なくとも一部、ナセル内の技術的装置、および／またはナセル内でヒトを支持するために設けられる。提案されたナセル構造体は、機械支持体にリジッド（剛）に固定された少なくとも１つのベースプラットフォーム部分を含む。したがってこのベースプラットフォーム部分は、ヒト、とりわけ保守要員も踏み入れる固定部分である。このベースプラットフォーム部分は、好ましくは下方領域で機械支持体の周囲に配置されている。したがってこのベースプラットフォーム部分上では、機械支持体のすぐ横に人間が立つこと、ないし技術的機具を配置すること、ができる。
【００３８】
さらに、機械支持体および／またはベースプラットフォーム部分に実質的に懸架形式で配置された吊りプラットフォーム部分が提案される。このような吊りプラットフォーム部分は、とりわけ機械支持体の後方の後方領域に配置することができ、これにより技術的装置および／またはヒトが赴くための空間を形成する。実質的に懸架形式の構造により、この吊りプラットフォーム部分は簡単に設けることができる。
【００３９】
好ましくはベースプラットフォーム部分の上には支持構造物が配置され、固定される。この支持構造物は突き出た支持体部分、とりわけダブルＴ字形支持体のようなスチール支持体を有する。この支持体部分は、とりわけ機械支持体の上方の領域に配置されており、荷物を持ち上げるためのクレーン装置を有することができる。支持体部分は好ましくは後方に向かって、すなわち機械支持体の後方の領域へ、すなわちハブ側とは反対の領域へ伸張している。さらにまたは択一的に支持体部分は、吊りプラットフォーム部分に接続された少なくとも１つの引張支持体（Zugtraeger、張力で支える支持体）と接続することができ、これにより吊りプラットフォーム部分を部分的に保持する。この保持は、とりわけ懸架形式で行われる。それにもかかわらず引張支持体は引張バーとして構成することもできる。
【００４０】
したがってこの支持構造は、二重機能を果たすことのできる支持体部分を提供する。すなわちクレーンとして使用することができ、吊りプラットフォーム部分を支持することのできる支持体部分である。これにより、吊りプラットフォーム部分を機械支持体またはベースプラットフォーム部分にリジッドに固定しなければならない場合よりも、吊りプラットフォーム部分をさほど大規模に構成する必要がない。
【００４１】
さらにまたは択一的に支持構造物は上側プラットフォーム、すなわちベースプラットフォームまたはベースプラットフォーム部分に対してより高い位置に配置されたプラットフォームを有する。とりわけこの上側プラットフォームは、機械支持体の上方かつその上に亘って（ueber）配置されている。この上側プラットフォームは、例えば整流器のような電気装置を格納することができる。さらに支持構造物は、ベースプラットフォーム部分と上側プラットフォームとの（高さ方向での）間に配置された中間プラットフォームを支持する。とりわけこの中間プラットフォームは、機械支持体の横に、または機械支持体の半分の高さに配置されている。とりわけベースプラットフォーム部分は、アジマス駆動部の上方に配置されている。したがってこの空間は、そこに保守要員として立ち入ることができようにし、また簡単にアジマス駆動部にアクセスできるようにするためアジマス駆動部の直接上方で使用することができる。アジマス駆動部をそこで保守し、または場合により交換するため、中間プラットフォームの一部、とりわけ可動の床プレートを設けることができるが、この床プレートは上記目的のために除去することができる。
【００４２】
さらにまたは択一的に機械支持体には、および補充的にまたは択一的に支持構造物にはフレームリング（ないし肋材リング、Spantring）が配置されており、このフレームリングはナセル外装またはその一部を支持し、または少なくとも補強することができる。これにより比較的に大型のナセル、および大型のナセル外装も可能であり、このナセル外装はこのようなフレームリングにより付加的な安定性、およびとりわけ補強を得ることができる。
【００４３】
加えて本発明によれば、風力発電装置、とりわけギヤレス型風力発電装置のナセルが提案される。このようなナセルは、風力発電装置の運転に必要な技術的装置を格納する。これにはとりわけ発電機並びにその電気端子も入る。機械支持体と他の構造的エレメントもナセル内に格納されており、ナセルは技術的装置を天候から保護するためにナセル外装を含む。言い替えると、ナセル外装によって実質的に閉鎖された運転空間が形成される。
【００４４】
ナセル外装には、ナセルの通気のために外気を導入し、および／または風力発電装置またはその一部を冷却するために通気開口部が設けられている。少なくとも１つの通気開口部が設けられている。通気開口部は、流入する空気の湿気を遮断するために水滴分離器を有している。この水滴分離器を備える開口部は、好ましくはナセルの側面領域、すなわちナセル外装に設けられている。
【００４５】
これまでは必要な場合には、雨に対して保護された開口部を通って空気がナセルに流入できるのが一般的であった。このような保護された開口部は、例えばナセルの下部にあるタワーへの移行領域に設けることができる。ナセルがアジマス調整の際にタワーに対して運動するから、この個所には開口リングスリットが通常設けられている。例えば霧が存在したり、または豪雨のような天候条件の際には、そのような雨に対して保護された開口部を通って空気とともに湿気が取り込まれる危険性があった。水滴除去器を使用することにより、これに関しての解決手段が提案される。乾燥した空気を取り入れる別の展開形態は、空気をタワー内部からナセルに流入させることである。しかしタワー空気は一部では暖かすぎることが分かっている。なぜなら空気が装置により、とりわけタワー脚部ですでに加熱されているからである。対応してタワー空気は冷却に非常に良く適したものではない。提案された解決手段は、過度に暖かい空気をタワーから取り込むことを回避する。したがって好ましくは実質的に気密な密閉部がナセル外装とタワーとは移行領域にも、タワー内部への移行領域にも存在し、これにより冷却空気の取り込みは、前記水滴除去器を通過した外気に所期のように限定される。
【００４６】
したがってナセル内には少なくとも１つの送風機が冷却のために設けられている。この送風機は、第１のナセル領域から冷却を必要とする領域に空気を送る。これによりこの第１のナセル領域に負圧が発生し、この負圧により水滴除去器を備える開口部を介して外気がこの第１の領域に吸入される。例えば外気は外部から水滴除去器を通ってナセルの第１の領域に流入することができ、そこでさらに送風機によって取り付けアタッチメント（短筒部）にある中空空間を通り、さらに軸ジャーナルにある中空空間を通りスピナ領域へ、すなわちハブ領域へ流入することができ、そこで例えばピッチ駆動部およびそれらのモジュールのような電気装置を冷却する。次に空気は、スピナ領域ないしはハブ領域からスピナ外装とナセル外装との間の移行領域で、すなわち定置の外装と回転する外装との間の領域でナセルから再び流出する。
【００４７】
したがって好ましいナセルおよび好ましい風力発電装置は、少なくとも１つの本発明によるナセル構造体、ナセル外装またはその一部を支持および／または補強するフレームリング（ないし肋材リング、Spantring）、本発明のモジュール支持体、本発明のロータハブ、本発明の機械支持体、本発明の発電機支持構造物および／または本発明の取り付けアタッチメントを含む。
【００４８】
本発明の風力発電装置は、とりわけ本発明のナセルを有する。したがって好ましくはナセル外装とタワーとの移行領域は外気の空気浸入に対する密閉部が設けられており、および／またはタワーはその内部でタワー内部からの空気の空気浸入に対して密閉されている。このために例えばタワーの上部領域に、対応して気密に構成された中間プラットフォームを設けることができる。ここでの空気気密はまったく小さな開口部を有することができることを強調しておく。密閉は、密閉領域を通ってナセルへ空気が達しないか、または少量の空気しか達しないように行うべきである。とりわけ強い空気流は阻止されるべきであるが、小さな空気流は許容することができる。このような中間面にある開口部が、例えば保守要員が通過できるようにするためタワー内で開放されることも無害であり得る。エアロックは必ずしも必要ではないが、設けることができる。
【００４９】
本発明では、風力発電装置を設置する方法が提案される。ここでは、風力発電装置の１つまたは複数のピッチ駆動部を制御するために設けられた電気モジュールを備える予め組み立てられたモジュール支持体ないしあらかじめ装着されたモジュール支持体、とりわけ本発明のモジュール支持体が使用される。風力発電装置は、少なくともナセルおよびとりわけハブに関しては可能な限り一緒に組み立てられる。ここではすでにロータブレードが設けられているか、またはロータブレードは後で初めて配置される予め組み立てられたハブにモジュール支持体が装備される。したがってモジュール支持体はロータハブに固定され、したがってピッチ駆動部の運転に必要なモジュール全体が所定の位置にある。必要な電気接続は、対応するプラグコネクタを介して簡単に行うことができる。ナセルの定置部から電気エネルギーまたは電気信号を供給するために、スリップリング装置を設けることができ、このスリップリング装置はとりわけ軸ジャーナルの前方に配置することができる。実質的に円形ディスクまたはリングディスクとして構成されたモジュール支持体を使用する場合、スリップリング装置がロータハブへのモジュール支持体の固定を邪魔することはなく、モジュール支持体の中央の切欠領域内に存在する。最後に、スリップリング装置の対応の線路との電気接続も、モジュール支持体ないしその上に配置されたモジュールとのプラグコネクタによって簡単に行うことができる。とりわけスリップリング装置とトランスモジュールおよび／または分配モジュールとの接続が行われる。
【００５０】
以下、本発明を実施例に基づき添付図面を参照して例として説明する。
【図面の簡単な説明】
【００５１】
【図１】一風力発電装置の斜視図である。
【図２】本発明のナセルの部分断面側面図である。
【図３】機械支持体の斜視図である。
【図４】図３の機械支持体３００の前方断面図である。
【図５】図３の機械支持体の側面図である。
【図６】取り付けアタッチメント（短筒部）の側面から見た断面図である。
【図７】図６の取り付けアタッチメント（短筒部）の内室に嵌め込むための送風機を備える取り付け部を示す図である。
【図８】電子モジュールのためのモジュール支持体を有するロータハブの斜視図である。
【図９】モジュール支持体を有する図８のロータハブの側面図である。
【図１０】図８と図９のモジュール支持体を、取り付けられておらず装着されていない状態で示す斜視図である。
【図１１】図１０のモジュール支持体の正面図である。
【図１２】機械支持体を有するナセル構造の側面図である。
【図１３】図１２のナセル構造を正面から見た断面図である。
【図１４】ナセルの概略的斜視図である。
【実施例】
【００５２】
図１は、タワーと、このタワーに配置されたナセルとを有する風力発電装置の斜視図であり、前記ナセルは３つのロータブレードを備えるハブを有する。ナセルには後方のナセル外装１０２が示されており、このナセル外装はナセルの非回転部分を支持し、基本的にナセルの後方部分である。さらにスピナ外装１０４がロータブレードの付け根領域に示されている。最後に、所期のように風に向いたスピナキャップ１０６が示されている。スピナキャップ１０６の領域はとりわけナセルの前方領域である。
【００５３】
図２は、本発明のナセルを原則的に側面から見た断面（縦方向断面）図で示す。このナセルは実質的に以下のエレメントを有する。
【００５４】
すなわち、ロータブレード１、ブレードフランジベアリング２、ブレード調整駆動部３、ブレード調整モータ４、スリップリング体５、軸カバー６、前方ベアリングカバー７、２列の円錐転がり軸受け８、ロータハブ９、軸ジャーナル（短軸）１０、取り付けアタッチメント（短筒部）１１、円筒転がり軸受け１２、後方ベアリングカバー１３、機械支持体１４、アジマスモータ１５、アジマス伝動装置１６、アジマスベアリング１７、ヘッドフランジを有するタワー１８、ステータ支持リング１９、ステータパケット２０、ディスクロータ２１、ポールパケット２２、電磁的ブレーキキャリパ２３、釣り鐘形ステータ２４、ロータロック部２５、中央潤滑装置２６、航空障害灯２７、ハイブリッド型風センサ２８、例えば２５０ｋｇの積み荷に対して設計された電気式チェーンクレーン２９、ナセルファン３０および受動型リアクーラ３１である。
【００５５】
図３の機械支持体３００は、第１の筒状部分３０１と第２の筒状部分３０２とを有する。第１の筒状部分３０１は実質的に垂直の中央軸を有する。第１の筒状部分には第１の筒フランジ部分３０３が配置されており、この第１の筒フランジ部分によって機械支持体がタワー上のアジマスベアリングに固定される。第１の筒フランジ３０３の領域には取り付けアタッチメント３０６が、アジマス駆動部、すなわちアジマスモータを格納するために配置されている。各格納部分３０６はそれぞれ６つのモータ開口部３０８を、それぞれ１つのアジマスモータを格納するために有する。
【００５６】
第２の筒状部分は実質的に水平の中央軸を有し、この中央軸は水平方向からやや傾斜している。第２の筒状部分３０２には第２の筒フランジ３０４が配置されており、この第２の筒フランジの周囲に取り付けアタッチメントが固定される。
【００５７】
したがって第１と第２の筒状部分３０１と３０２は、それらの中央軸を基準にして実質的に互いに直交する方向に配置されている。第１の筒状部分３０１は、第２の筒状部分３０２よりも格段に大きな直径を有する。第２の筒状部分３０２は、実質的にこれが第１の筒状部分３０１によって格納されるように構成されている。第１の筒状部分３０１はとりわけ内部支持部分３１０を含み、この内部支持部分は第２の筒状部分３０２内に形成されている。この内部支持部分３１０は第２の筒フランジ３０４の開口部を通して見ることができ、機械支持体３００の頸部領域３１２、すなわち第１と第２の筒状部分３０１、３０２の間の移行部を補強するために必要である。この機械支持体３００を使用する際にはメイン負荷がこの頸部領域３１２で予想される。内部支持部分３１０の中抜き部３１４は、保守要員のためのハッチ開口部として設けられている。
【００５８】
第２の筒状部分３０２の第２の筒フランジとは反対側では第１と第２の筒状部分３０１、３０２の間の接続領域に、周回する支持パッド３１６が配置されている。これにより第２の筒状部分３０２のこの裏側位置には、前記内部支持部分３１０に対応する支持部分を設ける必要がない。
【００５９】
図４には、機械支持体３００を前方から見た断面図が示されており、図５は機械支持体３００の側面図を示す。図５には第２の筒状部分３０２の中央軸３１８が示されており、水平の補助線３２０に対して軽く傾斜していることが分かる。水平軸式風力発電装置と比較して、中央軸３１８は実質的に水平であると見なすことができる。
【００６０】
図６の取り付けアタッチメント（短筒部）６００は、機械支持体側のフランジ６０２、軸ジャーナル側のフランジ６０４および中央固定フランジ６０６を有する。フランジ６０２、６０４および６０６は、基本的に取り付けアタッチメント６００全体と同じように、取り付けアタッチメントの中央軸６０８を中心に回転対称である。中央軸６０８は、所期のように配置された場合にはロータハブの回転軸に相当する。
【００６１】
機械支持体側のフランジ６０２によって、取り付けアタッチメント６００は図３の機械支持体３００の第２の筒フランジ３０４に配置され、固定される。固定のために複数の貫通孔部６１０並びにネジ固定される複数の有底孔部６１２が設けられている。
【００６２】
軸ジャーナルを軸ジャーナル側のフランジ６０４に固定するためにも同様に、複数の孔部６１４と６１６が設けられている。
【００６３】
ステータ支持体、すなわちとりわけ釣り鐘形ステータを取り付けアタッチメント６００に固定するために、中央固定フランジ６０６、並びに機械支持体側のフランジ６０２が設けられている。機械支持体側のフランジ６０２は、そのために複数の貫通孔部６１８を有する。さらに中央固定フランジ６０６には、ネジの設けられた有底孔部６２０が装備されている。したがって機械支持体は、軸方向にずらされた２つのフランジ６０２と６０６に傾斜しないよう配置することができる。
【００６４】
取り付けアタッチメント６００と、機械支持体３００、ステータ支持体および軸ジャーナルとの前記組み立てが図２にも示されている。そこでは取り付けアタッチメントが参照符号１１を、機械支持体が参照符号１４を、軸ジャーナルが参照符号１０を、そして釣り鐘形ステータが参照符号２４を有する。
【００６５】
とりわけ２つの筒状部分３０１と３０２は円錐形に構成されていることが分かる。２つの筒状部分３０１、３０２は、その第１ないしは第２の筒フランジ３０３、３０４の領域においては、これに対向する領域におけるよりも大きな直径を有する。
【００６６】
図７は、図６の取り付けアタッチメント６００ないしは図２の取り付けアタッチメント１１に嵌め込むための、送風機７０２を備えた取り付け部７００を示す。送風機７０２を備えるこの取り付け部７００は、図２にも装填された状態で図示されている。したがって送風機７０２は、空気を取り付けアタッチメント６００の内室６２２に吹き込むことができる。
【００６７】
取り付け部７００は通常、取り付けアタッチメント６００の内室６２２が閉鎖されるように構成されており、したがって送風機７０２によってのみ空気を内室６２２に吹き込むことができる。これにより、吹き込まれた空気が再び逆方向に向けられて内室６２２から流出することが回避される。したがって取り付け部７００は、送風機７０２を支持し、同時に取り付けアタッチメント６００の内室６２２を通常は閉鎖する役目を有する。
【００６８】
ロータハブ８００は、それぞれのロータブレードを固定するためのブレード格納部８０２を有する。ロータブレードはピッチ駆動部によってその仰角を調整することができる。このために各ブレード格納部には、ピッチ駆動部を格納するためのピッチモータ格納部８０４が設けられている。さらにロータハブ８００は２つのロータ固定フランジ８０６を、発電機の電気的ロータ、すなわち回転子と傾斜不能に結合するために有する。ロータハブ８００は、所期のように軸ジャーナル上に回転可能に支承される。これによりロータハブ８００と固定された電気的ロータも同様に回転可能に支承される。このために図９は、ロータハブ８００の中央軸８０８、すなわち空気力学的ロータの回転軸でありかつ同時に電気的ロータの回転軸を示す。軸ジャーナル上でのロータハブ８００の配置は図２の側面図に示されている。そこではロータハブ９が２列の円錐転がり軸受け８と円筒転がり軸受け１２によって軸ジャーナル１０上に回転可能に支承されている。ディスクロータのロータハブ９での固定も断面図に示されている。とりわけ軸１００が図２に示されており、この軸は種々のエレメントに対する回転軸と中央軸を形成する。
【００６９】
ピッチモータ格納部８０４内に配置されているピッチ駆動部用の種々の電気モジュールを設けるために、モジュール支持体８１０が設けられている。モジュール支持体８１０は取り付け支柱８１２によってロータハブ８００に固定されている。モジュール支持体８１０も中央軸８０８に実質的に同心に配置されている。モジュール支持体８１０上には種々の電気モジュール８１４が固定されている。ここで電気モジュール８１４はモジュール支持体８１０からロータハブ８００の方向を指向している。
【００７０】
ロータハブ８００が図２の軸ジャーナル１０のように軸ジャーナル上に所期のように配置される場合、スリップリング体、すなわち図２のスリップリング体５はモジュール支持体８１０の中央を通って自由領域へ突き出る。このスリップリング体５を取り付けまたは取り外すために補助プレート８１６が設けられており、この補助プレート上には保守要員が立ち、作業をすることができる。２つの補助プレート８１６の間には切欠部８１８が示されている。この切欠部は、保守要員が通り抜けて昇るために、そしてスリップリング体５を取り付けおよび取り外しする際には作業空間として使用することができる。とりわけスリップリング体は、取り外しの際にこの切欠部に降下させることができる。
【００７１】
モジュール支持体８１０を、図２にスピナキャップ４０として図示されたステータキャップに弾性的に固定するために、エラスティックな接続手段８２０がペアでモジュール支持体８１０上に分散配置されている。
【００７２】
スリップリング体５、モジュール支持体８１０およびスピナキャップ４０の配置は図２に示されている。
【００７３】
モジュール支持体８１０を使用することにより、ピッチ駆動部を設けるためのモジュールを簡単に設けることができる。ディスクロータ上でのこのような電気モータのこれまで公知の位置決めがこれにより改善される。
【００７４】
図１２は、タワー１１０の上方に配置された機械支持体３００を示す。機械支持体３００に固定されており、実質的にその周囲に形成されているのはナセル構造体２００である。ナセル構造体２００は、ベースプラットフォーム部分ないしはベースプラットフォーム２０２を有し、ベースプラットフォームは機械支持体に、とりわけそこの格納部分３０６にリジッドに固定されている。ベースプラットフォームないしはベースプラットフォーム部分２０２上には支持構造物２０４が配置されており、この支持構造物は複数の鉛直の支持支柱２０６および水平の支持支柱２０８を有する。これにより、基本的に機械支持体３００を改装する支持構造物２０４が得られる。さらに、機械支持体３００の上方にこの支持支柱は上側作業プラットフォームを形成し、この作業プラットフォームの上に保守要員が立ち作業をすることができる。またこの作業プラットフォームの上には電気モジュール２１２、例えば整流器または他の制御キャビネットを配置することができる。
【００７５】
ベースプラットフォーム２０２ないしはベースプラットフォーム部分２０２と上側作業プラットフォーム２１０との間の約半分の高さに中間プラットフォーム２１４が設けられている。図１３から分かるように、機械支持体３００の各側にはそのような中間プラットフォームが設けられている。この中間プラットフォーム２１４の下方には、アジマスモータ２１６ないしはアジマス駆動部２１６が配置されている。したがって中間プラットフォーム２１４から脱着可能な床プレートを通して、アジマス駆動部２１６にアクセスすることができる。
【００７６】
さらに支持構造物２０４には、突き出た支持部分２１８が実質的にスチール支持体の形態で配置されている。この突き出た支持部分２１８は第１および第２の保持ロッド２２０と２２２を介して付加的に支持構造物２０４に保持されている。
【００７７】
この突き出た支持部分２１８は少なくとも２つの役目を果たす。すなわち荷物を操作するためと、場合により荷物を外部からナセルに持ち上げるためにクレーン装置２２４が設けられている。対応して図２でも、そこでは参照符号２９の付されたクレーンの下方に荷物開口部１２５が設けられている。
【００７８】
さらに突き出た支持部分２１８は、吊りプラットフォーム部分２２６を２つの第３の保持ロッド２２８によって支持するために用いられる。さらに吊りプラットフォーム部分２２６は、接続領域２３０でベースプラットフォーム部分２０２に固定される。しかし接続領域２３０での固定はリジッドではない。接続領域２３０での固定と、３つの保持ロッド２２８による保持によって、この吊りプラットフォーム部分２２６が簡単に形成される。好ましくは場合により電気線路を吊り部分ないしは吊りプラットフォーム部分２２６内に敷設することができる。
【００７９】
さらに図１３は、タワーからナセルに達する入口梯子２３２を示す。したがってこの入口梯子２３２はタワーからナセルへの入口開口部２３４を通る経路であり、したがって入口経路は第１の筒状部分３０１を通り、第２の筒状部分３０２の外側を通過する。
【００８０】
有利には前記中間プラットフォーム２１４はアジマスモータの上方に設けられている。この構成は、機械支持体の上方に上側プラットフォームが省略された場合でも有利である。
【００８１】
図１４のナセルは、定置のナセル外装１１２と、スピナ外装１１６を備えるスピナ１１４と、スピナキャップ１１８とを有する。簡単にするためロータブレードは図示されておらず、それらの格納部１２０と固定のロータブレード突起１２２だけが図示されている。さらに冷却体１２４が図示されている。図１４はさらに障害灯１２６、測定マスト１２８および同様に概略的に受動型リアクーラー３１を示す。
【００８２】
さらに２つの通気開口部１３０が固定のナセル外装１１２に示されている。これら通気開口部１３０は水滴除去器を有し、したがってこの通気開口部１３０を通って空気がナセルに流入することができ、場合により水滴として存在する湿気は除去される。好ましくは通気開口部１３０の少なくとも１つの水滴除去器は加熱可能であり、これにより外気温が冷えているときには水滴除去器の凍結および通気開口部１３０の閉塞が阻止される。外気温が低い場合には冷却の必要性がさほどないから、通気開口部１３０の一部だけにこのような加熱装置を設けるだけで十分である。
【００８３】
この通気開口部１３０を通ってナセルに流入し、図２に示すように例えば取り付けアタッチメント１１および軸ジャーナル１０を通ってスピナに達する空気は、スピナ外装１１６と固定のナセル外装１１２との間の接続領域１３２を通って再び流出することができる。
【００８４】
加えて図２には、発電機の直径、とりわけステータリング１９とステータパケット２０の直径が、この領域でのナセルのナセル外装の直径よりも格段に小さいことが示されている。
【符号の説明】
【００８５】
１  ロータブレード
５  スリップリング体
９、８００  ロータハブ
１０  軸ジャーナル
１１、３０６、６００  取り付けアタッチメント
１４、３００  機械支持体
１００  風力発電装置
１０２  ナセル外装
１０４  スピナ外装
１０６  スピナキャップ
１３０  通気開口部
２０４  支持構造物
３０１  第１の筒状部分
３０２  第２の筒状部分
３１８  中央軸
６２２  内室
７０２  送風機
８１０  モジュール支持体
【図１】
2013545017.tif 000003
【図２】
2013545017.tif 000004
【図３】
2013545017.tif 000005
【図４】
2013545017.tif 000006
【図５】
2013545017.tif 000007
【図６】
2013545017.tif 000008
【図７】
2013545017.tif 000009
【図８】
2013545017.tif 000010
【図９】
2013545017.tif 000011
【図１０】
2013545017.tif 000012
【図１１】
2013545017.tif 000013
【図１２】
2013545017.tif 000014
【図１３】
2013545017.tif 000015
【図１４】
2013545017.tif 000016
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
風力発電装置の１つまたは複数のピッチ駆動部を制御するために設けられた電気モジュールを前記風力発電装置のロータハブに固定し、かつ前記電気モジュールを支持するための本体を備えるモジュール支持体であって、
前記ロータハブは、水平のロータ軸を中心に回転するように構成されており、
前記本体は、前記ロータ軸の軸方向で前記ロータハブの前方に固定されるよう構成されている、モジュール支持体。
【請求項２】
前記本体は、リングディスクとして構成されており、および／または前記ロータ軸に対して直角に配置されている、ことを特徴とする請求項１に記載のモジュール支持体。
【請求項３】
前記本体は、スピナ外装に適合した外周を有し、および／または前記スピナ外装とエラスティックに接続するための固定手段を有する、ことを特徴とする請求項１または２に記載のモジュール支持体。
【請求項４】
前記風力発電装置は１つまたは複数のロータブレードを有し、
前記電気モジュールは以下のエレメントの少なくとも１つを含む：
・前記ピッチ駆動部に電気エネルギーを供給するトランスモジュール；
・デジタル情報を各ピッチ駆動部に直接または間接的に分配する分配モジュール；
・各ロータブレードに対してそれぞれのピッチ駆動部を制御するブレード制御モジュール；
・各ロータブレードに対してそれぞれのピッチ駆動部のための電気切り替えを実施するブレードリレーモジュール；および／または
・各ロータブレードに対してそれぞれのピッチ駆動部のために電気エネルギーを蓄積し、提供する蓄電器モジュール；
請求項１から３までのいずれか一項に記載のモジュール支持体。
【請求項５】
前記モジュール支持体は、保持装置によってロータハブの風を受ける側に剛性に配置されており、および／または
前記モジュール支持体の本体は、前記回転軸に対して直角に配置されており、および／または
前記モジュール支持体は、スピナ外装とエラスティックに接続されている、請求項１から４までのいずれか一項に記載のモジュール支持体を有する風力発電装置のロータハブ。
【請求項６】
風力発電装置の空気力学的ロータと接続された発電機をタワーに支持するための、ギヤレス型風力発電装置の機械支持体であって、
前記空気力学的ロータは水平のロータ軸を有し、
前記タワーは垂直のタワー軸を有し、
前記機械支持体は、第１と第２の筒状部分を有し、
前記２つの部分は互いに直角に配置されており、
第１の筒状部分は、第２の筒状部分を少なくとも部分的に貫通し、および／または第２の筒状部分は第１の筒状部分を少なくとも部分的に貫通する、機械支持体。
【請求項７】
前記第１の筒状部分は、前記垂直のタワー軸と一致する中央軸を有し、
前記第２の筒状部分は、前記ロータ軸と一致する中央軸を有し、
前記第１の筒状部分は、前記第２の筒状部分よりも大きな平均直径を有し、
前記第１および／または第２の筒状部分は円錐形に構成されている、請求項６に記載の機械支持体。
【請求項８】
ヒトがタワー内部から前記第１の筒状部分を通って前記第２の筒状部分の外側を通過し、前記風力発電装置のナセルに達するように側方の貫通開口部が設けられている、請求項６または７に記載の機械支持体。
【請求項９】
前記機械支持体は鋳造部材として構成されており、および／または複数のアジマス駆動部のための格納部を有する、請求項６から８までのいずれか一項に記載の機械支持体。
【請求項１０】
ステータと電気的ロータないしは回転子とを有するギヤレス型風力発電装置の発電機を支持する発電機支持構造物であって、
請求項６から９までのいずれか一項に記載の機械支持体と、
ステータ支持体を前記機械支持体に固定し、支持するための取り付けアタッチメント（短筒部）と、
前記ステータを前記取り付けアタッチメントに固定し、支持するためのステータ支持体と、および／または
電気的ロータないしは回転子および／または空気力学的ロータを有するロータハブを前記取り付けアタッチメントに固定し、支持するための軸ジャーナルと、
を有する発電機支持構造物。
【請求項１１】
前記取り付けアタッチメントおよび／または軸ジャーナルは、冷却空気を前記ロータハブに案内するために中空に構成されており、および／または
前記取り付けアタッチメントおよび／または軸ジャーナルは、当該取り付けアタッチメントおよび／または軸ジャーナルを通る空気流を形成するために送風機を有する、請求項１０に記載の発電機支持構造物。
【請求項１２】
ステータ支持体を機械支持体に固定し、格納し、支持し、および軸ジャーナルを格納し、支持するための、ギヤレス型風力発電装置の取り付けアタッチメント。
【請求項１３】
ナセル外装の少なくとも一部を支持し、技術的装置をナセル内に支持し、および／またはヒトをナセル内に支持する、風力発電装置のナセルのナセル構造体であって、
機械支持体にリジッドに固定されたベースプラットフォーム部分と、前記機械支持体および／または前記ベースプラットフォーム部分に懸架して固定された吊りプラットフォーム部分と、を有するナセル構造体。
【請求項１４】
請求項１３に記載のナセル構造体であって、
前記ベースプラットフォーム部分上に支持構造物が配置されかつ固定されており、 
前記支持構造物は突き出た支持体部分を有し、当該支持体部分は、荷物を持ち上げるためのクレーン装置および／または前記吊りプラットフォーム部分に接続されており、かつ前記支持体部分で前記吊りプラットフォーム部分を部分的に保持するための引張支持体（Zugtraeger）を備え、
前記支持構造物は、上側プラットフォームを、前記機械支持体の上方に支持し、前記上側プラットフォームの下方かつ前記ベースプラットフォーム部分の上方に中間プラットフォームを、前記機械支持体に配置されたアジマス駆動部の上方に支持し、
前記中間プラットフォームは、当該中間プラットフォームを通って前記アジマス駆動部にアクセスするために少なくとも１つの可動の床プレートを有し、および／または
前記機械支持体および／または前記支持構造物に、ナセル外装またはその一部を支持および／または補強するためのフレームリングが固定されている、ナセル構造体。
【請求項１５】
風力発電装置の運転に必要な技術的装置を格納するための風力発電装置のナセルであって、
前記技術的装置を天候から保護するためのナセル外装と、
前記ナセル外装内にあって、外気を導入し、前記ナセルに通気し、および／または前記風力発電装置またはその一部を冷却するための通気開口部と、
を有し、
前記通気開口部は、流入する空気の湿気を除去するために水滴分離器を有する、ナセル。
【請求項１６】
請求項１３または１４に記載のナセル構造体と、
前記ナセル外装またはその一部を支持および／または補強するためのフレームリングと、
請求項１から４までのいずれか一項に記載のモジュール支持体と、
請求項５に記載のロータハブと、
請求項６から９までのいずれか一項に記載の機械支持体と、
請求項１０または１１に記載の発電機支持構造物と、および／または
請求項１２に記載の取り付けアタッチメントと、
を有する請求項１５に記載のナセル。
【請求項１７】
請求項１５または１６に記載のナセルと、
請求項１３または１４に記載のナセル構造体と、
前記ナセル外装またはその一部を支持および／または補強するためのフレームリングと、
請求項１から４までのいずれか一項に記載のモジュール支持体と、
請求項５に記載のロータハブと、
請求項６から９までのいずれか一項に記載の機械支持体と、
請求項１０または１１に記載の発電機構造体と、および／または
請求項１２に記載の取り付けアタッチメントと、
を有し、および／または
前記ナセル外装とタワーとの移行領域に外気の空気浸入に対する密閉部が設けられており、および／またはタワーは内部でタワー内部からの空気の空気浸入に対して密閉されている、風力発電装置。
【請求項１８】
風力発電装置の１つまたは複数のピッチ駆動部を制御するために設けられた電気モジュールを備える、請求項１から４までのいずれか一項に記載のモジュール支持体をあらかじめ作製し、モジュールを装着し、前記風力発電装置のロータハブに固定し、これにより前記モジュールを一の作業工程で前記ロータハブに固定する、風力発電装置の設置方法。
【請求項１９】
以下のうちの少なくとも１つを備えるモジュール支持体をあらかじめ作製する、請求項１８に記載の設置方法：
前記ピッチ駆動部に電気エネルギーを供給するトランスモジュール、
デジタル情報を各ピッチ駆動部に直接または間接的に分配する分配モジュール、
各ロータブレードごとにそれぞれのピッチ駆動部を制御するブレード制御モジュール、
各ロータブレードに対してそれぞれのピッチ駆動部に対する電気切り替えを実施するブレードリレーモジュール、および
各ロータブレードに対してそれぞれのピッチ駆動部のために電気エネルギーを蓄積し、供給する蓄電器モジュール。
【請求項２０】
請求項１７に記載の風力発電装置が設置される、請求項１８または１９に記載の設置方法。
【請求項２１】
送風機が冷却空気を、ナセルの第１の部分から取り付けアタッチメントおよび／または軸ジャーナルを通してナセルの第２の部分へ吹き込み、
冷却空気の全体または一部が、ナセル外装にある少なくとも１つの水滴分離器を通って前記ナセルの前記第１の部分に達し、
冷却空気の全体または一部が、スピナ外装とナセル外装との間の移行領域にあるロータハブの領域でナセルから流出する、風力発電装置の運転方法。
【手続補正２】
【補正対象書類名】明細書
【補正対象項目名】０００６
【補正方法】変更
【補正の内容】
【０００６】
本発明によれば、請求項１のモジュール支持体が提案される。すなわち以下のとおりである。
本発明の第１の視点によれば、風力発電装置の１つまたは複数のピッチ駆動部を制御するために設けられた電気モジュールを前記風力発電装置のロータハブに固定し、かつ前記電気モジュールを支持するための本体を備えるモジュール支持体であって、前記ロータハブは、実質的に水平のロータ軸を中心に回転するように構成されており、前記本体は、前記ロータ軸の軸方向で前記ロータハブの前方に固定されるよう構成されている、モジュール支持体が提供される。（形態１）
本発明の第２の視点によれば、前記モジュール支持体は、保持装置によってロータハブの風を受ける側に剛性に配置されており、および／または前記モジュール支持体の本体は、前記回転軸に対して実質的に直角に配置されており、および／または前記モジュール支持体は、スピナ外装とエラスティックに接続されている、請求項１から４までのいずれか一項に記載のモジュール支持体を有する風力発電装置のロータハブが提供される。（形態４）
本発明の第３の視点によれば、風力発電装置の空気力学的ロータと接続された発電機をタワーに支持するための、ギヤレス型風力発電装置の機械支持体であって、前記空気力学的ロータは、実質的に水平のロータ軸を有し、前記タワーは実質的に垂直のタワー軸を有し、前記機械支持体は、第１と第２の略筒状部分を有し、前記２つの部分は実質的に互いに直角に配置されており、第１の略筒状部分は、第２の略筒状部分を少なくとも部分的に貫通し、および／または第２の略筒状部分は第１の略筒状部分を少なくとも部分的に貫通する、機械支持体が提供される。（形態６）
本発明の第４の視点によれば、ステータと電気的ロータないしは回転子とを有するギヤレス型風力発電装置の発電機を支持する発電機支持構造物であって、とりわけ請求項６から９までのいずれか一項に記載の機械支持体と、ステータ支持体を前記機械支持体に固定し、支持するための取り付けアタッチメント（短筒部）と、前記ステータを前記取り付けアタッチメントに固定し、支持するためのステータ支持体、とりわけ釣り鐘形ステータと、および／または電気的ロータないしは回転子および／または空気力学的ロータを有するロータハブを前記取り付けアタッチメントに固定し、支持するための軸ジャーナルと、を有する発電機支持構造物が提供される。（形態１０）
本発明の第５の視点によれば、ステータ支持体を機械支持体に固定し、格納し、支持し、および軸ジャーナルを格納し、支持するための、ギヤレス型風力発電装置の取り付けアタッチメントが提供される。（形態１２）
本発明の第６の視点によれば、ナセル外装の少なくとも一部を支持し、技術的装置をナセル内に支持し、および／またはヒトをナセル内に支持する、風力発電装置のナセルのナセル構造体であって、機械支持体にリジッドに固定されたベースプラットフォーム部分と、前記機械支持体および／または前記ベースプラットフォーム部分に懸架して固定された吊りプラットフォーム部分と、を有するナセル構造体が提供される。（形態１３）
本発明の第７の視点によれば、風力発電装置の運転に必要な技術的装置を格納するための風力発電装置、とりわけギヤレス型風力発電装置のナセルであって、前記技術的装置を天候から保護するためのナセル外装と、前記ナセル外装内にあって、外気を導入し、前記ナセルに通気し、および／または前記風力発電装置またはその一部を冷却するための通気開口部と、を有し、前記通気開口部は、流入する空気の湿気を除去するために水滴分離器を有する、ナセルが提供される。（形態１５）
本発明の第８の視点によれば、請求項１５または１６に記載のナセルと、請求項１３または１４に記載のナセル構造体と、前記ナセル外装またはその一部を支持および／または補強するためのフレームリングと、請求項１から４までのいずれか一項に記載のモジュール支持体と、請求項５に記載のロータハブと、請求項６から９までのいずれか一項に記載の機械支持体と、請求項１０または１１に記載の発電機構造体と、および／または請求項１２に記載の取り付けアタッチメントと、を有し、および／または前記ナセル外装とタワーとの移行領域に外気の空気浸入に対する密閉部が設けられており、および／またはタワーは内部でタワー内部からの空気の空気浸入に対して密閉されている、風力発電装置、とりわけギヤレス型風力発電装置が提供される。（形態１７）
本発明の第９の視点によれば、風力発電装置の１つまたは複数のピッチ駆動部を制御するために設けられた電気モジュールを備えるモジュール支持体、とりわけ請求項１から４までのいずれか一項に記載のモジュール支持体をあらかじめ作製し、モジュールを装着し、前記風力発電装置のロータハブに固定し、これにより前記モジュールを一の作業工程で前記ロータハブに固定する、風力発電装置の設置方法が提供される。（形態１８）
本発明の第１０の視点によれば、送風機が冷却空気を、ナセルの第１の部分から取り付けアタッチメントおよび／または軸ジャーナルを通してナセルの第２の部分へ、とりわけロータハブおよび／またはロータキャップの領域へ吹き込み、冷却空気の全体または一部が、ナセル外装にある少なくとも１つの水滴分離器を通って前記ナセルの前記第１の部分に達し、冷却空気の全体または一部が、スピナ外装とナセル外装との間の移行領域にあるロータハブの領域でナセルから流出する、風力発電装置の運転方法が提供される。（形態２１）
なお、特許請求の範囲に付記した図面参照番号はもっぱら理解を助けるためであり、図示の態様に限定することを意図するものではない。
【手続補正３】
【補正対象書類名】明細書
【補正対象項目名】０００７
【補正方法】変更
【補正の内容】
【０００７】
したがってこのようなモジュール支持体は、電気モジュールを風力発電装置のロータハブに固定するために設けられている。
本発明において、以下の展開形態が可能である。
（形態２）モジュール支持体において、前記支持体は、実質的にリングディスクとして構成されており、および／または前記ロータ軸に対して直角に配置されていることが好ましい。
（形態３）モジュール支持体において、前記支持体は、スピナ外装に適合した外周を有し、および／または前記スピナ外装とエラスティックに接続するための固定手段を有することが好ましい。
（形態４）モジュール支持体において、前記風力発電装置は１つまたは複数のロータブレードを有し、前記電気モジュールは以下のエレメントの少なくとも１つを含むことが好ましい：
・前記ピッチ駆動部に電気エネルギーを供給するトランスモジュール；
・デジタル情報を各ピッチ駆動部に直接または間接的に分配する分配モジュール；
・各ロータブレードに対してそれぞれのピッチ駆動部を制御するブレード制御モジュール；
・各ロータブレードに対してそれぞれのピッチ駆動部のための電気切り替えを実施するブレードリレーモジュール；および／または
・各ロータブレードに対してそれぞれのピッチ駆動部のために、とりわけ非常遮断のために電気エネルギーを蓄積し、提供する蓄電器モジュール、とりわけコンデンサモジュール。
（形態７）機械支持体において、前記第１の筒状部分は、前記垂直のタワー軸と一致する中央軸を有し、前記第２の筒状部分は、前記ロータ軸と一致する中央軸を有し、前記第１の筒状部分は、前記第２の筒状部分よりも大きな平均直径を有し、前記第１および／または第２の筒状部分は円錐形に構成されていることが好ましい。
（形態１１）発電機支持構造物において、前記取り付けアタッチメントおよび／または軸ジャーナルは、冷却空気を前記ロータハブに案内するために中空に構成されており、および／または前記取り付けアタッチメントおよび／または軸ジャーナルは、当該取り付けアタッチメントおよび／または軸ジャーナルを通る空気流を形成するために送風機を有することが好ましい。
（形態１４）ナセル構造体において、前記ベースプラットフォーム部分上に支持構造物が配置されかつ固定されており、 前記支持構造物は突き出た支持体部分を有し、当該支持体部分は、荷物を持ち上げるためのクレーン装置および／または前記吊りプラットフォーム部分に接続されており、かつ前記支持体部分で前記吊りプラットフォーム部分を部分的に保持、とりわけ部分的に懸架するための引張支持体（Zugtraeger）を備え、前記支持構造物は、上側プラットフォームを、とりわけ前記機械支持体の上方に支持し、前記上側プラットフォームの下方かつ前記ベースプラットフォーム部分の上方に中間プラットフォームを、とりわけ前記機械支持体に配置されたアジマス駆動部の上方に支持し、前記中間プラットフォームは、当該中間プラットフォームを通って前記アジマス駆動部にアクセスするために少なくとも１つの可動の床プレートを有し、および／または前記機械支持体および／または前記支持構造物に、ナセル外装またはその一部を支持および／または補強するためのフレームリングが固定されていることが好ましい。
（形態１６）ナセルにおいて、請求項１３または１４に記載のナセル構造体と、前記ナセル外装またはその一部を支持および／または補強するためのフレームリングと、請求項１から４までのいずれか一項に記載のモジュール支持体と、請求項５に記載のロータハブと、請求項６から９までのいずれか一項に記載の機械支持体と、請求項１０または１１に記載の発電機支持構造物と、および／または請求項１２に記載の取り付けアタッチメントと、
を有することが好ましい。
（形態１９）風力発電装置の設置方法において、以下のうちの少なくとも１つを備えるモジュール支持体をあらかじめ作製することが好ましい：
前記ピッチ駆動部に電気エネルギーを供給するトランスモジュール、
デジタル情報を各ピッチ駆動部に直接または間接的に分配する分配モジュール、
各ロータブレードごとにそれぞれのピッチ駆動部を制御するブレード制御モジュール、
各ロータブレードに対してそれぞれのピッチ駆動部に対する電気切り替えを実施するブレードリレーモジュール、および／または
各ロータブレードに対してそれぞれのピッチ駆動部のために、とりわけ非常遮断のために電気エネルギーを蓄積し、供給する蓄電器モジュール、とりわけコンデンサモジュール。
（形態２０）風力発電装置の設置方法において、請求項１７に記載の風力発電装置が設置されることが好ましい。
【手続補正４】
【補正対象書類名】明細書
【補正対象項目名】００５０
【補正方法】変更
【補正の内容】
【００５０】
以下、本発明を実施例に基づき添付図面を参照して例として説明する。
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【国際調査報告】
2013545017.tif 000017
2013545017.tif 000018
2013545017.tif 000019
2013545017.tif 000020
2013545017.tif 000021
2013545017.tif 000022
2013545017.tif 000023
2013545017.tif 000024
2013545017.tif 000025
2013545017.tif 000026
2013545017.tif 000027
2013545017.tif 000028